(57)【要約】      （修正有）【課題】タイル等の平滑な貼着対象に対して貼り付けたり、剥がして繰り返し利用することが可能であり、フック部分の突出寸法や折り曲げ形状をユーザの好み等に応じて適宜変更することができ、常にフック部分が突出している周知のフックと比較して嵩張らない形態で流通させることが可能なフックを提供する。【解決手段】貼着対象に剥離可能な吸着シートをウラ面の全体または一部に設けた本体部４と、ウラ面５２に吸着シートを設けていないフック部５と、本体部４からフック部に亘る所定領域に配置した芯材とを備え、芯材のうちフック部に配置された部分を折り曲げることで、本体部に対するフック部の突出寸法や折り曲げ形状を変更可能に構成した。【選択図】図２
0003214378.tif 000002
【実用新案登録請求の範囲】
【請求項１】
壁面等の貼着対象に剥離可能な吸着シートをウラ面に設けた本体部と、前記本体部に連続し且つ前記吸着シートをウラ面に設けていないフック部と、前記本体部から前記フック部に亘る所定領域に配置した芯材とを備え、前記芯材のうち前記フック部に配置された部分を折り曲げ可能に構成していることを特徴とするフック。
【請求項２】
前記フック部を前記本体部よりも小さい平面寸法に設定している請求項１に記載のフック。
【請求項３】
前記フック部を複数備えている請求項１又は２に記載のフック。
【請求項４】
当該フック全体が動物の形態をなし、前記フック部のうち少なくとも１つが前記動物の尻尾の形態をなす請求項１乃至３の何れかに記載のフック。
【考案の詳細な説明】
【技術分野】
【０００１】
本考案は、壁面等の貼着対象に貼着した状態で使用可能なフックに関するものである。
【背景技術】
【０００２】
従来より、下端部にフック片が一体的に設けられたフック本体を主体として構成され、フック本体の裏面に設けた吸着シートを壁面等の貼着対象に貼り付けた状態で、フック本体に小物等を引っ掛けて使用可能なフックが知られている（特許文献１参照）。このようなフックは、貼着対象に対して吸着シートにより離着自在に貼り着けられている。
【先行技術文献】
【特許文献】
【０００３】
【特許文献１】特開２０１６−００２４０３号公報
【考案の概要】
【考案が解決しようとする課題】
【０００４】
ところで、従来のフックは、フック片自体がフック本体とともに変形不能な一体成形品として形成されている。したがって、使用時はもちろんのこと、出荷時や販売時も含めてフック片の突出寸法に応じてフック全体が嵩張った形態である。なお、出荷時や販売時等に嵩張らないようにするために、フック本体とフック片を別体にして、購入後にユーザがフック片をフック本体にネジ締めにより着脱自在に取り付けられるように構成されたフックも考えられるが、ユーザ自身によるネジ締め作業が必須であり、面倒である。
【０００５】
なお、貼着対象が磁性体を含むものであれば、吸着シートに代えてマグネットを適用することもできるが、貼着対象の素材によってはフックを取り付けられない場合があり、様々な場所にフックを簡単に取り付けたいという要望に応えることができない。
【０００６】
本考案は、このような事情に着目してなされたものであって、主たる目的は、貼着対象に対して貼り付けたり、剥がして繰り返し利用することが可能であり、フック本体に対するフック片の突出寸法を簡単に変更することができるとともに、嵩張らない形態で流通させることが可能なフックを提供することにある。
【課題を解決するための手段】
【０００７】
すなわち、本考案に係るフックは、壁面等の貼着対象に離着自在に貼着可能な吸着シートをウラ面に設けた本体部と、本体部に連続し且つウラ面に吸着シートを設けていないフック部と、本体部からフック部に亘る所定領域に配置した芯材とを備え、芯材のうちフック部に配置された部分を折り曲げ可能に構成していることを特徴としている。ここで、本考案における本体部は、ウラ面全体に吸着シートを設けた態様と、ウラ面の所定部分にのみ吸着シートを設けた態様の両方を含む。また、芯材は、フックの外観に表れない位置に設けることが好ましいが、本考案は、フックの外観に表れる位置に芯材を設けた態様を排除するものではない。
【０００８】
このような本考案に係るフックであれば、ユーザがフック部を本体部に対して折り曲げる力を加えると、芯材のうちフック部に配置された部分が折れ曲がり、フック部を本体部に対して前方に突出させた形態にしたり、フック部を本体部の一部と向き合うように折り返した形態にすることができ、このようなフック部に小物等を掛けることが可能である。そして、本考案に係るフックによれば、フック部をネジ締め等によって本体部に取り付ける作業が不要であるとともに、フックの出荷時や販売時、あるいは不使用時には、フック部を折り曲げていない形態にすることで、フック全体が嵩張らない形態になる。これにより、フックを平べったい形態で流通させることが可能であり、嵩張った形態であれば得ることのできない種々のメリットを得ることができる。
【０００９】
また、本考案によれば、本体部のウラ面に設けた吸着シートを貼着対象に貼り付けた状態でフック部を折り曲げたり、フック部を折り曲げた状態で吸着シートを貼着対象に貼り付けることができ、貼着場所や貼着状況等に応じてフック部の折り曲げ形態を適宜選択・変更することが可能であり、ユーザの好みに応じた形態で使用することができる。
【００１０】
このように、本考案に係るフックであれば、ユーザの好みに応じて本体部に対するフック部の折り曲げ形態を変更可能に構成するという斬新な技術的思想に基づき、フック全体の形態を使用状況に応じて変更することができ、新規有用なフックを提供することができる。
【００１１】
また、マグネットと異なり吸着シートを設けているため、貼着対象の壁面等が平滑であれば様々な場所に本考案のフックを取り付けることが可能である。
【００１２】
本考案におけるフック部の平面寸法は特に制限されないが、フック部を本体部よりも小さい平面寸法に設定した場合、特に、フック部を細長い平面寸法に設定した場合には、フック部を太く短い平面寸法に設定した態様と比較して、本体部に対するフック部の折り曲げ作業を軽い力でスムーズに行うことができるとともに、フック部として機能する部分をユーザが容易に把握できる点で優れている。また、本体部がフック部よりも大きい平面寸法であれば、本体部のウラ面に設ける吸着シートの面積を大きく確保することができ、安定した吸着状態の長期維持に寄与する。
【００１３】
フック部を複数設けると、１つのフックに複数のフック部を備えることができ、耐荷重の許す限り多様な物をフック部に引っ掛けることができる。
【００１４】
本発明におけるフック全体の形態もまた特に限定されないが、一例として、フック全体が動物の形態をなし、フック部のうち少なくとも１つがその動物の尻尾の形態をなすものを挙げることができる。動物型のフックに複数のフック部を設ける場合には、尻尾の他、四肢や頭部をフック部とし、胴体部を本体部とすることが可能である。このような構成であれば、フック部を本体部に対して折り曲げていない平べったい２次元的な形態をなすフックが、フック部に設定した尻尾等を本体部に対して折り曲げることで動物の動きを模した３次元的な形態に変形可能であり、そのフック部に小物等を掛けることが可能な日用品として使用することができる。
【考案の効果】
【００１５】
本考案によれば、本体部のウラ面に設けた粘着シートを貼着対象に貼り付けた状態で使用することができ、一旦貼り付けた粘着シートを剥がすことで繰り返して使用することが可能なフックを提供することができるとともに、本体部に対してフック部を折り曲げ可能に構成しているため、使用状況等に応じて本体部に対するフック部の突出寸法を変更することが可能であり、フック部を折り曲げていない形態にすることで、全体として嵩張らない形態で流通させることが可能な斬新なフックを提供することができる。
【図面の簡単な説明】
【００１６】
【図１】本考案の一実施形態に係るフックの平面図。
【図２】同実施形態に係るフックの一使用形態を示す図。
【図３】図１に示すフックの底面図。
【図４】図１に示すフックの側面図。
【図５】同実施形態に係るフックに示す芯材の配置領域を図３に対応して示す図。
【図６】同実施形態に係るフックのオモテ面に形成した半立体形状を模式的に示す図。
【図７】本考案の一変形例に係るフックの平面図。
【図８】同変形例に係るフックの一使用形態を示す図。
【図９】図７に示すフックの底面図。
【図１０】同変形例に係るフックに示す芯材の配置領域を図９に対応して示す図。
【図１１】同変形例に係るフックのオモテ面に形成した半立体形状を模式的に示す図。
【考案を実施するための形態】
【００１７】
以下、本考案の一実施形態を、図面を参照して説明する。
【００１８】
本実施形態に係るフック１は、図１乃至図６に示すように、オモテ面全体を例えばネコを模した半立体形状に設定し、ウラ面をフラットな面に設定したものである。本実施形態のフック１は、熱可塑性樹脂（例えばＰＶＣ；ポリ塩化ビニル）からなる成形品によって大部分が構成され、所定領域に吸着シート２及び芯材３を配置したものである（図３、図５参照）。具体的に、本実施形態のフック１は、ウラ面４２に吸着シート２を設けた本体部４と、ウラ面４２に吸着シート２を設けていないフック部５とを一体に備え、本体部４及びフック部５に亘る所定領域に芯材３を設けている。
【００１９】
本体部４のオモテ面４１は、例えばネコの頭部、胴部、及び四肢（前足、後足）を模した形態をなし、適宜の凹凸加工処理や着色処理を施したものである。図４に示すように、本体部４のオモテ面４１には、所定厚み（例えば３ｍｍ）のベース部分４３に対して所定厚み（例えば最大で２ｍｍ）盛り上がった形状の隆起部分４４を形成して、半立体の形態を実現している。図６では、フック１のオモテ面（本体部４のオモテ面４１、フック部５のオモテ面５１）に施した半立体の形態を濃淡で示し、薄い部分ほどベース部分４３に対する盛り上がり具合が大きく、濃い部分ほどベース部分４３に対する盛り上がり具合が低いことを模式的に示している。本実施形態のフック１は、ベース部分４３と盛り上がり部分４４の境界部分に溝を形成していない。
【００２０】
本体部４のうちフラットな面であるウラ面４２に設ける吸着シート２は、本体部４を壁面等の貼着対象に対して引き剥がし可能な状態で吸着させる吸着力（接着力）を有するものである。すなわち、吸着シート２の一方の面は、本体部４のウラ面４２に強固に粘着される強粘着面であり、他方の面は、貼着対象に粘着材を残すことなく貼着対象から剥離可能な粘着力を有する弱粘着面である。なお、図４では吸着シート２を省略している。
【００２１】
本実施形態では、図３に示すように、本体部４におけるウラ面４２のうち、四肢の部分を除く領域に吸着シート２を設けている。吸着シート２は、本体部４におけるウラ面４２の全体に設けることも可能であるが、貼着対象から剥離する際に吸着シート２が千切れたり、裂ける事態を回避するため、本実施形態では、他の部分と比較して平面形状が細長い部分（図示例では手足に相当する部分）に吸着シート２を配置しない構成を採用している。吸着シート２の厚みや色は適宜選択可能であり、本実施形態のフック部５は、厚さ約１ｍｍ、透明の吸着シート２を適用している。なお、出荷時点では吸着シート２のうち弱粘着面に剥離紙（剥離フィルム）を貼ってあり、使用時にユーザ自身が剥離紙を剥がして貼着対象に弱粘着面を貼り付けることができる。また、図３に示すように、本実施形態では、吸着シート２の外縁が本体部４の外縁と一致せず、吸着シート２の外縁と本体部４の外縁との間に一定の隙間が形成されるように、吸着シート２のサイズを適宜の値に設定している。
【００２２】
フック部５のオモテ面５１は、着色処理によりネコの尻尾を模した細長い形態をなし、フック部５のウラ面５２はフラットな面に形成されている（図４参照）。本実施形態のフック部５は、本体部４のベース部分４３に相当する厚みを有し、本体部４の隆起部分４４に相当する盛り上がった部分は形成されていない（図４参照）。これは、フック部５の折り曲げ処理をスムーズに行えるようにするためであり、また、フック部５に小物等を掛ける際やフック部５から小物等を取り外す際に、盛り上がった部分で小物等が引っ掛かる事態を防止するためである。このようなフック部５は、本体部４に対して折り曲げ可能に構成されている。本実施形態では、図５に示すように、本体部４及びフック部５に亘る所定領域に平板状の芯材３を埋設している。具体的には、本体部４のうち四肢と顔の一部（横顔のうち平面的な突起形状として把握可能な部分である耳、鼻及び口等）を除く大部分、換言すれば本体部４において一塊と見なせる領域または団子状に連続する領域（本体部４の約７割から９割を占める領域）と、フック部５のほぼ全領域に亘って一枚の芯材３を配置している。なお、本実施形態における芯材３は外部に露出しておらず、ウラ面からも視認できないものであり、図５では、グレーで塗りつぶした領域を芯材３の配置領域として模式的に示している。芯材３の素材や厚みは適宜選択可能であり、本実施形態のフック部５は、厚さ０．６ｍｍの鉄板を適用している。本実施形態に係るフック１では、本体部４のうち芯材３を配置する領域と吸着シート２を設ける領域を平面視においてほぼ一致させている。具体的には、芯材３を覆うように金型に流し込んだ熱可塑性樹脂を硬化させることで芯材３を内包した状態の本体部４とフック部５が一体形成される。
【００２３】
このような構成を有する本実施形態に係るフック１は、出荷時や販売時には、全体をフラットな形態にして梱包することが可能であり、フック部５を本体部４に突出させた形態と比較して嵩張らず、取り扱いに優れる。また、ユーザは、梱包状態にあるフック１を梱包材（パッケージ等）から取り出して、本体部４のウラ面４２に設けた吸着シート２の剥離紙（フィルム）を剥がし、露出した吸着シート２の弱粘着面をタイル、ガラス、鏡面等の平滑な貼着対象に貼り付けることができる。もちろん、貼着対象が平滑でさえあればマグネット式のフックが貼り付けられるような金属製の家電製品（例えば冷蔵庫等）の表面や、ロッカーや棚の表面にも本実施形態のフック１を貼り付けることができる。
【００２４】
ユーザは、吸着シート２を貼着対象に貼り付ける前の時点、または吸着シート２を貼着対象に貼り付けた後に、フック部５を本体部４に対して折り曲げることで、このフック部５に鍵、小物、キッチンツーツ等を掛けることが可能である（図２参照）。本体部４に対するフック部５の折り曲げ形態は、ユーザの好みに応じて変更することが可能であり、折り曲げる力を停止すれば、その時点のフック部５の折り曲げ形態を芯材３によって維持することができ、フック部５に小物等を掛けた時点以降にフック部５に作用する荷重にも耐えることができる。フック１の耐荷重は、芯材３の素材や形状、吸着シート２の弱粘着面の貼着対象に対する粘着力等によって変化するが、本実施形態のフック１の耐荷重は、例えば２００ｇ乃至４００ｇ以下である。なお、本実施形態のフック１は、本体部１のうちネコの四肢を模した部分を、ネコの胴部を模した部分に対して折り曲げることが可能であるものの、四肢を模した部分には芯材３を配置していないため、折り曲げる力を停止すれば、四肢を模した部分は熱可塑性樹脂からなる成形品の弾性復元力によって元の形態に戻る。本体部１のうちネコの耳を模した部分も同様である。このように、本体部１のうち芯材３が配置されていない部分は、折り曲げることは可能であるものの、その折り曲げ形態を維持できないように設定されている。
【００２５】
また、本実施形態に係るフック１は、貼り付けられている貼着対象から剥がすことができる。すなわち、ユーザがフック１を貼着対象から剥がす力を加えると、吸着シート２の弱粘着面と貼着対象の貼着状態が解除される。そして、貼着対象から剥がしたフック１は、再度同じ貼着対象または異なる貼着対象に貼り付けることができ、繰り返しの利用が可能である。本実施形態では、水洗い可能な吸着シート２を適用しているため、汚れや皮脂等によって吸着力（接着力）が低下した場合には、吸着シート２を水洗いして自然乾燥させることで低下した吸着力が回復する。
【００２６】
本実施形態で適用する吸着シート２の弱粘着面は、貼着対象に粘着材を残すことなく貼着対象から剥離可能な粘着力を有する面であるため、フック１を剥がした貼着対象にのり等の粘着材が残る不具合を防止・抑制することができる。
【００２７】
このように、本実施形態に係るフック１は、壁面等の貼着対象に離着自在に貼着可能な吸着シート２をウラ面４２に設けた本体部４と、本体部４に連続し且つウラ面４２に吸着シート２を設けていないフック部５と、本体部４からフック部５に亘る所定領域に配置した芯材３とを備え、芯材３のうちフック部５に配置された部分を折り曲げ可能に構成しているため、ユーザがフック部５を折り曲げる力を加えることで、芯材３が折れ曲がり、フック部５を本体部４に対して前方に突出させた形態にしたり、フック部５を本体部４の一部と向き合うように折り返した形態にすることができ、フック部５に小物等を掛けることが可能になる。また、本実施形態に係るフック１は、使用するユーザが例えばフック部５を本体部４にネジ締め等の取付作業が一切不要であるとともに、出荷時や販売時、あるいは不使用時には、フック部５を折り曲げていない形態にすることで、フック１全体を嵩張らない形態にすることができ、嵩張った形態であれば得ることのできない種々のメリットを得ることができる。
【００２８】
また、本実施形態に係るフック１によれば、本体部４のウラ面４２に設けた吸着シート２を貼着対象に貼り付けた状態でフック部５を折り曲げたり、フック部５を折り曲げた状態で吸着シート２を貼着対象に貼り付けることができ、貼着場所や貼着状況等に応じてフック部５の折り曲げ形態を適宜選択・変更することが可能であり、ユーザの好みに応じた使い方ができる。
【００２９】
本実施形態に係るフック１は、フック部５を細長い平面寸法に設定しているため、フック部５を太く短い平面寸法に設定した態様と比較して、本体部４に対するフック部５の折り曲げ作業を軽い力でスムーズに行うことができるとともに、フック部５として機能する部分をユーザが容易に把握できる点で優れている。さらに、本体部４がフック部５よりも大きい平面寸法であるため、本体部４のウラ面４２に設ける吸着シート２の面積を大きく確保することができ、安定した吸着状態を長期に亘って維持することが可能である。
【００３０】
特に、本実施形態に係るフック１は、全体としてネコの形態をなし、尻尾に相当する部分をフック部５に設定しているため、フック部５を折り曲げた形態が尻尾を曲げたネコの形態になり、キッチン周り、洗面所、浴場等にアクセントのある愛らしい装飾品としてフック１を飾り付けることができる。
【００３１】
全体としてネコの形態に設定したフック１である場合、模様や色彩を変更することで、シロ猫、クロ猫、トラ猫、三毛猫等、バリエーションを簡単に増やすことができる。なお、複数の色で模様を表す場合に、異なる色が付されるパーツ同士の境界部分に所定深さの溝を形成してもよい。
【００３２】
なお、本考案は上述した実施形態に限定されるものではない。例えば、フック全体の形態は特に限定されず、上述の実施形態で例示した形態以外のネコの形態を模したフックであってもよい。一例として、図７に示す歩くネコの形態を模したフックを挙げることができる。この一変形例に係るフックを、図７乃至図１１に示す。これら各図には、上述の実施形態におけるフックに対応する部分やパーツに同じ符号を付している。このような形態のフックも上述のフックに準じた構成であるため、上述と同様の作用効果を奏する。
【００３３】
また、本考案は、ネコ以外の動物、例えば熊、犬、猿、鳥、魚等を模したフックも包含する。フック部に設定する部分も適宜選択することができ、尻尾以外の部分、例えば手足や耳、首、頭等に相当する部分をフック部に設定することも可能である。動物以外の適宜の形態、例えばキャラクターを模したフックであってもよい。
【００３４】
１つの本体部に対して複数のフック部を設定したフックにすることもできる。例えば、図１等に示すネコ型のフックにおいて、前足部分、後足部分、頭部の何れか１つ、または複数、或いは全部をフック部に設定し、これらの部分に配置した芯材を折り曲げ可能に構成したフックであってもよい。もちろん、４以上のフック部を備えたフックにすることも可能である。
【００３５】
また、本考案のフックとして、本体部のウラ面全体に吸着シートを設けた態様を採用しても構わない。吸着シートの素材や色、粘着力の加減も適宜選択・変更することができる。
【００３６】
芯材の素材や配置領域も適宜選択することが可能であり、フックの外観に表れる位置に芯材を設けた態様であってもよい。芯材を交換可能に構成したフックであれば、繰り返しの使用により有効な強度を発揮しなくなった芯材を新たな芯材に交換することで、フック全体を廃棄することなく、そのまま利用し続けることが可能にある。
【００３７】
本体部のオモテ面、フック部のオモテ面の両方または何れか一方をフラット面に設定したフックであっても構わない。
【００３８】
また、本考案におけるフックは、フック部の平面寸法が本体部よりも大きい態様も包含する。
【００３９】
その他、各部の具体的構成についても上記実施形態に限られるものではなく、本考案の趣旨を逸脱しない範囲で種々変形が可能である。
【符号の説明】
【００４０】
１…フック
２…吸着シート
３…芯材
４…本体部
４１…オモテ面
４２…ウラ面
５…フック部
【図１】
0003214378.tif 000003
【図２】
0003214378.tif 000004
【図３】
0003214378.tif 000005
【図４】
0003214378.tif 000006
【図５】
0003214378.tif 000007
【図６】
0003214378.tif 000008
【図７】
0003214378.tif 000009
【図８】
0003214378.tif 000010
【図９】
0003214378.tif 000011
【図１０】
0003214378.tif 000012
【図１１】
0003214378.tif 000013